(57)【特許請求の範囲】
【請求項１】
流し台キャビネット上のシンクの周辺に生ごみ投入口を開口形成し、該生ごみ投入口より接続筒体を一体的に連通垂設して該接続筒体の下端部分を同シンクの底部分よりも下方に位置させ、同流し台キャビネット内に生ごみ収納庫を収容設置し、該生ごみ収納庫上に開口形成される生ごみ受入口に同接続筒体の下端部分を連通接続してなる生ごみ収納装置であって、前記生ごみ収納庫をその高さ調整を行うアジャスターを介して収容設置すると共に、接続筒体の下端部分を生ごみ受入口内に挿入嵌合させて連通接続し、同接続筒体の下端部分を下端側程縮径したテーパー状に形成すると共に、生ごみ受入口の開口縁全周に同接続筒体の下端部分の外周面に密着するパッキン材を付設したことを特徴とする生ごみ収納装置。
【請求項２】
流し台キャビネット上のシンクの周辺に生ごみ投入口を開口形成し、該生ごみ投入口より接続筒体を一体的に連通垂設して該接続筒体の下端部分を同シンクの底部分よりも下方に位置させ、同流し台キャビネット内に生ごみ収納庫を収容設置し、該生ごみ収納庫上に開口形成される生ごみ受入口に同接続筒体の下端部分を連通接続してなる生ごみ収納装置であって、前記接続筒体の下端開口の両側縁に下縁がキャビネット奥側へ向かって斜め下方へ傾斜したガイド片を垂設し、該両側のガイド片をその下縁が生ごみ収納庫上を摺動されるようにして生ごみ受入口内両側に挿入係合させ、該生ごみ受入口に同接続筒体の下端部分を連通接続したことを特徴とする生ごみ収納装置。
【請求項３】
ガイド片のキャビネット奥側端に生ごみ受入口の開口縁に係止する係止凸部を形成したことを特徴とする請求項２記載の生ごみ収納装置。
【発明の詳細な説明】
【０００１】
【発明の属する技術分野】
本発明は、流し台キャビネット内に収容設置される生ごみ収納庫内に同流し台キャビネットの上方から生ごみを投入して収納できるようにした生ごみ収納装置に関するものである。
【０００２】
【従来の技術】
従来から、図８に示す如く、流し台キャビネット１内に収容設置される生ごみ収納庫５内に同流し台キャビネット１の上方から生ごみを投入して収納できるようにした生ごみ収納装置は知られている。該生ごみ収納装置においては、流し台キャビネット１の上端にカウンター11が設置固定されており、該カウンター11にはシンク２が設けられ、該シンク２の側方位置で同カウンター11に生ごみ投入口３が開口形成されている。
【０００３】
この場合、カウンター11に短筒部材28が取り付けられて生ごみ投入口３は開口形成されており、生ごみ収納庫５上に開口形成される生ごみ受入口６より一体的に連通立設される接続筒体４の上端部分が同短筒部材28に嵌合され、両者はその外側からねじ込まれるビス29によって結合固着されている。又、生ごみ収納庫５は流し台キャビネット１の内底面16上に設置され、該生ごみ収納庫５内には生ごみ受けボックス20が出し入れ自在に収容されており、生ごみ投入口３から投入された生ごみは接続筒体４内を通って生ごみ受入口６から同生ごみ受けボックス20内に受け溜められる。生ごみ受けボックス20内に充分量の生ごみが溜まった際には、流し台キャビネット１の前面を開閉する扉パネル15を開け、生ごみ収納庫５の前端部分に開閉自在に付設された蓋体（図示せず）を開け、該開口部分から同生ごみ受けボックス20を取り出して、その中に溜められた生ごみを排出除去することができる。
【０００４】
【発明が解決しようとする課題】
しかしながら、上記従来の技術においては、生ごみ収納庫５上に接続筒体４が一体的に立設されているので、該生ごみ収納庫５を台所キャビネット１内に収容設置して施工する際に、同接続筒体４が邪魔になって設置施工し難く、該接続筒体４が同台所キャビネット１内周辺に当たって破損し易く、運搬時等にも同接続筒体４は破損し易いという問題があった。又、同接続筒体４の上端部分を生ごみ投入口３となる短筒部材28に嵌合し、両者をビス29によって結合固着して接続施工するので、該ビス29による接続作業が流し台キャビネット１内の上方位置で且つシンク２に近接した位置での作業となって、接続施工し難いという問題もあった。
【０００５】
本発明は、上記従来の技術における問題を悉く解決するために発明されたもので、すなわち、その課題は、接続筒体が破損し難く、流し台キャビネット内での生ごみ収納庫の設置接続施工も容易な生ごみ収納装置を提供することである。
【０００６】
【課題を解決するための手段】
本発明の請求項１記載の生ごみ収納装置は、流し台キャビネット上のシンクの周辺に生ごみ投入口を開口形成し、該生ごみ投入口より接続筒体を一体的に連通垂設して該接続筒体の下端部分を同シンクの底部分よりも下方に位置させ、同流し台キャビネット内に生ごみ収納庫を収容設置し、該生ごみ収納庫上に開口形成される生ごみ受入口に同接続筒体の下端部分を連通接続してなる。
【０００７】
したがって、この場合、流し台キャビネット上のシンクの周辺に生ごみ投入口が開口形成されているので、シンクでの作業中にその周辺に位置する生ごみ投入口へと生ごみを楽に投入することができる。しかも、生ごみ投入口より接続筒体が一体的に連通垂設されているので、生ごみ収納庫には接続筒体が突設されておらず、該生ごみ収納庫の運搬時或いは収容設置時等に、同接続筒体は邪魔になることなく破損もし難い。又、接続筒体が突設されていない生ごみ収納庫を流し台キャビネット内へと楽に収容設置することができると共に、該生ごみ収納庫上に開口形成される生ごみ受入口に接続筒体のシンクの底部分よりも下方に位置する下端部分を連通接続する作業は、同流し台キャビネット内のシンクより下方へ離れた位置で楽に行われて、同生ごみ収納庫の設置接続施工が容易となる。
【０００８】
本発明の請求項１記載の生ごみ収納装置は、上記の生ごみ収納装置において、生ごみ収納庫をその高さ調整を行うアジャスターを介して収容設置すると共に、接続筒体の下端部分を生ごみ受入口内に挿入嵌合させて連通接続したことを特徴とする。したがって、この場合は特に、アジャスターで生ごみ収納庫の高さを低くして該生ごみ収納庫を流し台キャビネット内へと楽に収容することができ、次に、接続筒体の下端部分に生ごみ受入口を位置合わせして同アジャスターで生ごみ収納庫を上昇させることで、同接続筒体の下端部分を生ごみ受入口内に挿入嵌合させて簡単に連通接続することができる。
【０００９】
本発明の請求項１記載の生ごみ収納装置は、上記の生ごみ収納装置において、接続筒体の下端部分を下端側程縮径したテーパー状に形成すると共に、生ごみ受入口の開口縁全周に同接続筒体の下端部分の外周面に密着するパッキン材を付設したことを特徴とする。したがって、この場合は特に、接続筒体の下端部分が下端側程縮径したテーパー状に形成されているので、上記の如く、生ごみ収納庫を上昇させている際に、該接続筒体の下端部分は生ごみ受入口内にスムーズに挿入嵌合される。又、その際、同接続筒体の下端部分の外周面には生ごみ受入口の開口縁全周に付設されたパッキン材が密着されるので、臭気の漏出は確実に防止される。
【００１０】
本発明の請求項２記載の生ごみ収納装置は、上記の生ごみ収納装置において、接続筒体の下端開口の両側縁に下縁がキャビネット奥側へ向かって斜め下方へ傾斜したガイド片を垂設し、該両側のガイド片をその下縁が生ごみ収納庫上を摺動されるようにして生ごみ受入口内両側に挿入係合させ、該生ごみ受入口に同接続筒体の下端部分を連通接続したことを特徴とする。したがって、この場合は特に、接続筒体の下端開口の両側縁に下縁がキャビネット奥側へ向かって斜め下方へ傾斜したガイド片を垂設しているので、生ごみ収納庫を流し台キャビネット内へと手前側から収容している際に、該両側のガイド片の下縁が生ごみ収納庫上を摺動してスムーズに収容することができ、その後、同両側のガイド片が生ごみ受入口内両側に挿入係合されて、該生ごみ受入口に同接続筒体の下端部分は所定位置に位置決めされ簡単に連通接続される。
【００１１】
本発明の請求項３記載の生ごみ収納装置は、上記請求項２記載の生ごみ収納装置において、ガイド片のキャビネット奥側端に生ごみ受入口の開口縁に係止する係止凸部を形成したことを特徴とする。したがって、この場合は特に、ガイド片のキャビネット奥側端に生ごみ受入口の開口縁に係止する係止凸部が形成されているので、上記の如く、両側のガイド片が生ごみ受入口内両側に挿入係合された際に、該生ごみ受入口の開口縁に同係止凸部が係止されて、同生ごみ受入口に接続筒体の下端部分は抜け外れないよう確実に連通接続される。
【００１２】
【発明の実施の形態】
図１〜３は、本発明の請求項１に対応する一実施形態を示し、該実施形態の生ごみ収納装置は、流し台キャビネット１上のシンク２の周辺に生ごみ投入口３を開口形成し、該生ごみ投入口３より接続筒体４を一体的に連通垂設して該接続筒体４の下端部分を同シンク２の底部分よりも下方に位置させ、同流し台キャビネット１内に生ごみ収納庫５を収容設置し、該生ごみ収納庫５上に開口形成される生ごみ受入口６に同接続筒体４の下端部分を連通接続してなる。
【００１３】
該実施形態の生ごみ収納装置においては、生ごみ収納庫５をその高さ調整を行うアジャスター７を介して収容設置すると共に、接続筒体４の下端部分を生ごみ受入口６内に挿入嵌合させて連通接続している。又、この場合、接続筒体４の下端部分を下端側程縮径したテーパー状に形成すると共に、生ごみ受入口６の開口縁全周に同接続筒体４の下端部分の外周面に密着するパッキン材８を付設してもいる。
【００１４】
流し台キャビネット１の上端には合成樹脂製のカウンター11が設置固定されており、該カウンター11に開口が形成され、該開口にステンレス製のシンク２が嵌め込み取着固定され設けられている。該シンク２の底部分には排水口12が形成され、同シンク２の開口周縁部分には外方へ鍔状に突出したフランジ部13が一体に形成されている。該フランジ部13の後部片側方上にはシンク２内へ湯水を吐水する給水具14が付設されており、同フランジ部13の後部反対側方に横長矩形状の生ごみ投入口３が開口形成されている。
【００１５】
生ごみ投入口３には断面横長矩形状の接続筒体４が一体的に連通垂設されており、該接続筒体４もステンレス製でシンク２のフランジ部13と一体成形されたものである。この場合、接続筒体４はシンク２の底部分の後側に位置するが、該接続筒体４の下端部分が同シンク２の底部分よりも下方に位置していることで、同接続筒体４の下端部分に対する接続作業を手前側から支障なく容易に行うことができる。
【００１６】
又、生ごみ収納庫５は前後方向に長い直方体形状の箱体で合成樹脂、金属等で形成され、流し台キャビネット１の内底面16上に設置されている。該生ごみ収納庫５内には合成樹脂、金属等でなり上方へ開口したバケツ状の生ごみ受けボックス20が前後に各一個づつ収容されており、該生ごみ受けボックス20は同生ごみ収納庫５の前端部分に開閉自在に付設された蓋体（図示せず）を開けて該開口部分から出し入れされる。
【００１７】
この場合、生ごみ投入口３から投入された生ごみは接続筒体４内を通って生ごみ受入口６から後側の生ごみ受けボックス20内に受け溜められ、該後側の生ごみ受けボックス20内に充分量の生ごみが溜まった際には、該後側の生ごみ受けボックス20と前側の生ごみ受けボックス20とを配置替えする。そして、両生ごみ受けボックス20内に充分量の生ごみが溜まった際には、流し台キャビネット１の前面を開閉する扉パネル15を開け、前記生ごみ収納庫５の前端開口部分から両生ごみ受けボックス20を取り出して、その中に溜められた生ごみを排出除去することができる。
【００１８】
又、生ごみ収納庫５の下端四隅にはアジャスター７が配設されており、該アジャスター７を介して同生ごみ収納庫５はその高さ調整ができるよう流し台キャビネット１の内底面16上に設置されている。各アジャスター７は、生ごみ収納庫５の底面に垂設された内周に雌ねじを有する円筒体17と、該円筒体17に上端部分が螺合されると共に下端部分に接床部18を有するボルト体19とでなる。この場合には、ボルト体19を回動操作することで、アジャスター７により生ごみ収納庫５の高さ調整を行うことができるが、同アジャスター７をスプリングにて形成し、該スプリングにて生ごみ収納庫５が上方へ弾発付勢されるようになし、該弾発付勢力に抗して同生ごみ収納庫５の高さ調整が行われるようになしても良い。
【００１９】
又、生ごみ収納庫５の後側上面には横長矩形状の生ごみ受入口６が開口形成されており、該生ごみ受入口６の開口縁全周にはＯリングでなるパッキン材８が嵌着付設されている。該パッキン材８は、上記接続筒体４の下端側程縮径したテーパー状に形成される下端部分の外周面に摺接して強固に密着される。なお、該生ごみ受入口６及び上記生ごみ投入口３は横長矩形状以外の円形状に形成されても良く、これに対応して接続筒体４が円筒形状に形成されても良い。
【００２０】
又、図３に示す如く、生ごみ収納庫５は換気ファン21を具備しており、該換気ファン21を作動させることで、同生ごみ収納庫５内の臭気が流し台キャビネット１の外部後方へと排気除去される。この場合、換気ファン21が作動されると、生ごみ収納庫５の後側上面に形成される吸気口22から外部空気が吸引され、該外部空気によって両生ごみ受けボックス20からの臭気が、同換気ファン21及び流し台キャビネット１の背板24を貫通する排気パイプ23を介して、該流し台キャビネット１の外部後方へと排気除去される。なお、同換気ファン21に脱臭フィルターを設けて、脱臭した後に排気除去されるようになしても良い。
【００２１】
したがって、該実施形態の生ごみ収納装置においては、流し台キャビネット１上のシンク２の周辺に生ごみ投入口３が開口形成されているので、シンク２での作業中にその周辺に位置する生ごみ投入口３へと生ごみを楽に投入することができる。しかも、生ごみ投入口３より接続筒体４が一体的に連通垂設されているので、生ごみ収納庫５には接続筒体４が突設されておらず、該生ごみ収納庫５の運搬時或いは収容設置時等に、同接続筒体４は邪魔になることなく破損もし難い。又、接続筒体４が突設されていない生ごみ収納庫５を流し台キャビネット１内へと楽に収容設置することができると共に、該生ごみ収納庫５上に開口形成される生ごみ受入口６に接続筒体４のシンク２の底部分よりも下方に位置する下端部分を連通接続する作業は、同流し台キャビネット１内のシンク２より下方へ離れた位置で楽に行われて、同生ごみ収納庫５の設置接続施工が容易となっている。
【００２２】
又、該実施形態の生ごみ収納装置においては、アジャスター７で生ごみ収納庫５の高さを低くして該生ごみ収納庫５を流し台キャビネット１内へと楽に収容することができ、次に、接続筒体４の下端部分に生ごみ受入口６を位置合わせして同アジャスター７で生ごみ収納庫５を上昇させることで、同接続筒体４の下端部分を生ごみ受入口６内に挿入嵌合させて簡単に連通接続することができる。しかも、この場合、接続筒体４の下端部分が下端側程縮径したテーパー状に形成されているので、該接続筒体４の下端部分は生ごみ受入口６内にスムーズに挿入嵌合される。又、その際、同接続筒体４の下端部分の外周面には生ごみ受入口６の開口縁全周に付設されたパッキン材８が密着されるので、臭気の漏出は確実に防止される。
【００２３】
図４〜７は、本発明の請求項２、３に対応する別の実施形態を示し、該実施形態の生ごみ収納装置においては、接続筒体４の下端開口の両側縁に下縁がキャビネット奥側へ向かって斜め下方へ傾斜したガイド片９を垂設し、該両側のガイド片９をその下縁が生ごみ収納庫５上を摺動されるようにして生ごみ受入口６内両側に挿入係合させ、該生ごみ受入口６に同接続筒体４の下端部分を連通接続している。
【００２４】
したがって、該実施形態の生ごみ収納装置においては、生ごみ収納庫５を流し台キャビネット１内へと手前側から収容している際に、図５に示す如く、両側のガイド片９の下縁が生ごみ収納庫５上を摺動するので、スムーズに収容することができ、その後、同両側のガイド片９が生ごみ受入口６内両側に挿入係合されるので、該生ごみ受入口６に接続筒体４の下端部分は所定位置に位置決めされ簡単に連通接続される。
【００２５】
しかも、この場合に、ガイド片９のキャビネット奥側端に生ごみ受入口６の開口縁に係止する係止凸部10が形成されているので、両側のガイド片９が生ごみ受入口６内両側に挿入係合された際に、該生ごみ受入口６の開口縁に同係止凸部10が係止されて、同生ごみ受入口６に接続筒体４の下端部分は抜け外れないよう確実に連通接続される。
【００２６】
又、該実施形態の生ごみ収納装置においては、接続筒体４の下端開口周縁部分に外方へ鍔状に突出した取着フランジ25が一体に形成され、該取着フランジ25の下面には輪形シート状のパッキン材８が貼設されており、該パッキン材８を介して同接続筒体４の下端部分は生ごみ収納庫５の生ごみ受入口６に隙間なく連通接続される。この場合、取着フランジ25及びパッキン材８の手前側部分には二個の貫通孔26が穿設されており、上記の如く、生ごみ受入口６の開口縁に係止凸部10を係止させたた後に、同貫通孔26にネジ体27を挿通し該ネジ体27を生ごみ収納庫５上に螺着して、手前側から簡単に且つ強固に固着接続することができる。
【００２７】
又、該実施形態の生ごみ収納装置においては、接続筒体４がシンク２とは別体に形成され、該シンク２の周辺側方位置でカウンター11に別途形成される開口に同接続筒体４は嵌め込み取着固定されて設けられている。この場合、接続筒体４は断面縦長矩形状に形成されており、これに対応して生ごみ投入口３及び生ごみ受入口６が縦長矩形状に形成されている。なお、それ以外は上記実施形態と同様に構成されていて、請求項１に係る作用効果が上記実施形態におけると同様に奏される。
【００２８】
【発明の効果】
上述の如く、本発明の請求項１記載の生ごみ収納装置においては、シンクでの作業中に生ごみ投入口へと生ごみを楽に投入することができ、しかも、接続筒体が邪魔になることなく破損もし難く、又、生ごみ収納庫を流し台キャビネット内へと楽に収容設置することができると共に、該生ごみ収納庫上の生ごみ受入口と同接続筒体の下端部分との連通接続作業を楽に行うことができて、同生ごみ収納庫の設置接続施工は容易となる。
【００２９】
又、本発明の請求項１記載の生ごみ収納装置においては、特に、生ごみ収納庫をアジャスターでその高さを低くして流し台キャビネット内へと楽に収容することができ、次に、接続筒体の下端部分に生ごみ受入口を位置合わせして同アジャスターで生ごみ収納庫を上昇させることで、同接続筒体の下端部分を生ごみ受入口内に挿入嵌合させて簡単に連通接続することができる。
【００３０】
又、本発明の請求項１記載の生ごみ収納装置においては、特に、上記の如く、生ごみ収納庫を上昇させている際に、接続筒体の下端部分が生ごみ受入口内にスムーズに挿入嵌合され、その際、同接続筒体の下端部分の外周面にパッキン材が密着して臭気の漏出も確実に防止される。
【００３１】
又、本発明の請求項２記載の生ごみ収納装置においては、特に、生ごみ収納庫を流し台キャビネット内へと収容している際に、両側のガイド片の傾斜した下縁が生ごみ収納庫上を摺動してスムーズに収容することができ、しかも、同両側のガイド片が生ごみ受入口内両側に挿入係合されて、該生ごみ受入口に接続筒体の下端部分は所定位置に位置決めされ簡単に連通接続される。
【００３２】
又、本発明の請求項３記載の生ごみ収納装置においては、特に、上記の如く、両側のガイド片が生ごみ受入口内両側に挿入係合された際に、該生ごみ受入口の開口縁に係止凸部が係止されて、同生ごみ受入口に接続筒体の下端部分は抜け外れないよう確実に連通接続される。
【図面の簡単な説明】
【図１】本発明の一実施形態である生ごみ収納装置を示す断面図。
【図２】同生ごみ収納装置を示す概略斜視図。
【図３】同生ごみ収納装置における生ごみ収納庫を示す断面図。
【図４】別の実施形態である生ごみ収納装置を示す断面図。
【図５】同生ごみ収納装置における生ごみ収納庫の接続状態を示す断面図。
【図６】同生ごみ収納装置における接続筒体の下端部分を示す斜視図。
【図７】同生ごみ収納装置を示す概略斜視図。
【図８】従来例である生ごみ収納装置を示す断面図。
【符号の説明】
１  流し台キャビネット
２  シンク
３  生ごみ投入口
４  接続筒体
５  生ごみ収納庫
６  生ごみ受入口
７  アジャスター
８  パッキン材
９  ガイド片
10  係止凸部
【図１】
0003539132.tif 000002
【図２】
0003539132.tif 000003
【図３】
0003539132.tif 000004
【図４】
0003539132.tif 000005
【図５】
0003539132.tif 000006
【図６】
0003539132.tif 000007
【図７】
0003539132.tif 000008
【図８】
0003539132.tif 000009